(57)【要約】【課題】  従来、ファスナーを閉じる場合は両手での操作が必要であり、片手しか動かせない人や状況においての操作は困難を伴うものであった。本発明は片手で、襟元で留めた留具を引き下げることで蝶棒をスライダーに挿入することができて、そのまま引き上げることでファスナーを閉じる仕組みを提供する。【解決手段】  右のテープに、メスの留具を取り付け、その上をスライドするカバーを装着し、左のテープにオスの留め具を取り付け、左右のテープを下に同じ長さで延長し、右の延長部に上下に分かれたボックスを取り付け、その中にシザーズ構造のリフトを組み込んで接続し、左の延長部の表に引き寄せバーを、裏に押し上げキーを設け、襟元の左右の留具を留めて引き下げて、引寄せバーで着衣の裾を中央に寄せ、押上げキーでリフトを上昇させて箱棒と蝶棒を箱に格納することを特徴とするファスナー片手開閉スライダーユニット。【選択図】図８
2020189069.tif 000002
【特許請求の範囲】
【請求項１】
着衣した状態を対面して見た場合において、ファスナーの右のテープにエレメントをスライドするメスの留具をスライダーの上部に取り付け、左のテープにエレメントをスライドし、裏に指あてを設けたオスの留具を取り付けてあり、メスの留具の正面上部に結合受と、正面下部に離脱防止受を設けて、正面中程に引上げフックを設けてあり、メスの留具にカバーを装着し、カバーの正面に上が外に開く窓を設けてあり、窓の上部内側に結合フックと押上げバンクを設けて、カバーの平面に離脱防止フックを設けてあり、メスの留具の結合受にカバーの結合フックを結合させて補助スライダーを構成しており、右のテープの箱棒の下と左のテープの蝶棒の下にテープを同じ長さで延長し、箱棒の下の延長部に内部にシザーズ構造のリフトを組み込んだボックスが取り付けてあり、ボックスは箱と一体の上部分と、延長したテープに固定された下部分に分かれており、ボックスの上部分と下部分は、リフトのジョイントとボックスの上部分内部の右上奥とボックスの下部分内部の左下奥と右下手前のホルダーで接続してあり、リフトの最上段手前に押下げボールを設けた降下防止フックを取り付けてあり、下段のリフトの左手前にヘッドを設けてあり、ボックスの上部分の左上にキーホールを設け、内側右にガイドと、天井右にロック穴と、屋上に指あて押えを設けてあり、蝶棒の下のテープの延長部の表に引寄せバーを設け、裏に押上げキーを設けてあり、箱棒と蝶棒の下のテープの延長は、箱の上にセットされたスライダーの肩口に箱棒と蝶棒の下部が位置する長さにしてあることを特徴とするファスナー片手開閉スライダーユニット。
【発明の詳細な説明】
【技術分野】
【０００１】  本発明は、ファスナーの開閉具に関するものである。
【背景技術】
【０００２】  従来は、左手でスライダーを箱の上で固定し、右手で蝶棒を持ちスライダーの肩口へ誘導し挿入した後、スライダーを引き上げてファスナーを閉めるというもので、両手で操作することが必要であった。
【発明の概要】
【発明が解決しようとする課題】
【０００３】  上述の如く、従来の方法では片手しか動かせない人や状況などで両手が使えない場合に、蝶棒を持つことができてもスライダーへ挿入することは不可能に近かった。また冬の寒い日など、丈の長いコートの場合、手袋をはずして首を曲げて目で確認することが必要な場合もあり、目の不自由な人には困難を伴うものであった。
【課題を解決するための手段】
【０００４】  着衣した状態を対面して見た場合において、右のテープにエレメントをスライドするメスの留具を取り付け、左のテープにエレメントをスライドし、裏に指あてを設けたオスの留具を取り付けてある。メスの留具にその上をスライドするカバーを装着してある。メスの留具の正面にカバーと結合させる結合受、カバーからの離脱を防ぐ離脱防止受とスライダーを固定する引上げフックを設けてある。カバーの平面にメスの留具との離脱を防ぐ離脱防止フックを設け、カバーの正面に上が外に開く窓を設けてあり、窓の内側に結合フックと窓を押し上げる押上げバンクを設けてある。メスの留具の結合受にカバーの結合フックを結合させて補助スライダーを構成している。
右の箱棒の下と左の蝶棒の下にテープを同じ長さで延長し、箱棒の下の延長部には内部にシザーズ構造のリフトを組み込んだボックスを取り付けてある。ボックスは箱棒と蝶棒を格納する箱と一体の上部分と、延長したテープに固定された下部分に分かれ、リフトのジョイントとボックスのホルダーで接続してある。リフトの最上段手前にリフトが既定以外の力で降下するのを防止するための押下げボールを設けた降下防止フックを取り付け、下段のリフトの左手前に押上げキーに押されてリフトを押し上げるヘッドを設けてある。ボックスの上部分に押上げキーを挿入するキーホールと、降下防止フックを誘導するガイドとロックするフック穴を設け、ボックスの屋上にオスの留具の指あてを固定する指あて押えを設けてある。蝶棒の下の延長部の表に左のテープを中央に引き寄せる引寄せバーを設け、裏にリフトを押上げる押上げキーを設けてある。左右のテープの延長は、箱の上にセットされたスライダーの肩口に、箱棒と蝶棒の下部が位置する長さにしてある。
【発明の効果】
【０００５】  本発明では、着衣の左右の裾を片手で中央に引き寄せて、留め具を留める動作よりも、片手で着衣の襟元を中央に寄せて、襟元にある留具を留める動作の方が容易である。そこで、片手で襟元にある留め具を留めて引き下げるだけで、下にあるボックス内のシザーズ構造のリフトを押し上げることを可能にしたことである。つまり、引き下げの力を押し上げの力に変換することであり、ボックスと一体の箱の上に位置したスライダーを押し上げることで、箱棒と蝶棒をすくい上げて箱に格納することである。これは着衣の裾において、蝶棒をスライダーに挿入して引き上げるという、両手でなければ困難な動作を襟元において片手でできることを可能にしたことである。
以上を特徴とするファスナー片手開閉スライダーユニットである。
【図面の簡単な説明】
【０００６】
【図１】  本発明の一部であるメスの留め具とカバーの正面図
【図２】  本発明の一部である補助スライダーの平面図
【図３】  本発明の一部であるオスの留め具の平面図
【図４】  本発明の一部であるオスの留め具の正面図
【図５】  本発明の一部である右テープの正面図
【図６】  本発明の一部である右テープの平面図
【図７】  本発明の一部であるボックスとスライダーの正面図
【図８】  本発明の一部であるボックスの透視図
【発明を実施するための形態】
【０００７】  以下、本発明の実施の形態を説明する。
（イ）着衣した状態を対面して見た場合において、右のテープ（１）にエレメント（２）をスライドするメスの留具（７）を取り付けてある。左のテープ（１）にエレメント（２）をスライドし、裏に指あて（９）を設けたオスの留具（８）を取り付けてある。メスの留具（７）に、その上をスライドするカバー（１７）を装着してある。メスの留具（７）の正面に、カバー（１７）と結合するための結合受（１２）、カバー（１７）からの離脱を防止する離脱防止受（１３）と収納したスライダー（３）を固定する引上げフック（６）を設けてある。
（ロ）カバー（１７）の正面に、上が外側に開く窓（１６）を設けてあり、窓（１６）の内側に結合フック（１１）と、窓（１６）を押し上げる押上げバンク（１５）を設け、平面にメスの留具（７）との離脱を防止する離脱防止フック（１４）を設けてある。メスの留具（７）の結合受（１２）にカバー（１７）の結合フック（１１）を結合させて、補助スライダー（１０）を構成している。
（ハ）箱棒（１８）の下にテープ（１）を延長し、内部にシザーズ構造のリフト（２１）を組み込んだボックス（２２）を取り付けてある。ボックス（２２）は箱（２０）と一体の上部分と、延長したテープ（１）に固定された下部分に分かれ、ボックス（２２）の上部分と下部分は、リフト（２１）のジョイント（２７）とボックス（２２）の上部分の右上奥と、下部分の右下手前と左下奥のホルダー（２８）で接続されている。ボックス（２２）の上部分の正面左上にキーホール（３１）を設け、屋上（３４）に指あて押え（３２）を設けてある。
（ニ）上昇したリフト（２１）が既定以外の力で押し下がることを防止するために、リフト（２１）の最上段手前に押下げボール（２３）を設けた降下防止フック（２４）を取り付け、下段のリフト（２１）の左手前に、押上げキー（３０）を受止めるヘッド（３３）を設けてある。また、ボックス（２２）の上部分の内側右に降下防止フック（２４）を誘導するガイド（２６）を設け、天井右に降下防止フック（２４）をロックするフック穴（２５）を設けてある。
（ホ）蝶棒（１９）の下にテープ（１）を右と同じ長さで延長し、表に左のテープ（１）の下部を中央に引寄せる引寄せバー（２９）を設け、裏にリフト（２１）を押し上げる押上げキー（３０）を設けてある。引寄せバー（２９）はオスの留具（８）が単独で降下した場合に、左のテープ（１）の延長部から離脱するのを防止するため、離脱手前で降下を停止させる役目も兼ねている。
（ヘ）テープ（１）の延長は、箱（２０）の上にセットされたスライダー（３）の肩口（５）に、箱棒（１８）と蝶棒（１９）の下部が位置する長さにしてある。
本発明は以上のような構造である。
本発明を使用するときは、片手でオスの留具（８）の指あて（９）と補助スライダー（１０）をつまんで留め具を留める。次に、補助スライダー（１０）を下まで引き下げると、箱（２０）の上のスライダー（３）を補助スライダー（１０）の中に収納して引き下げは停止するのである。この時、引上げフック（６）がスライダー（３）の柱（４）を挟むために、スライダー（３）が補助スライダー（１０）に固定されるのである。また、柱（４）はカバー（１７）の押し上げバンク（１５）を押して、窓（１６）を押し上げるため、結合フック（１１）が結合受（１２）から外れ、カバー（１７）とメスの留具（７）の結合が解けるのである。結合が解けたカバー（１７）は止まったメスの留め具（７）の上をスライドして、さらに引き下げられ、左のテープ（１）の引寄せバー（２９）を内側に取り込み、左のテープ（１）を中央に引き寄せるのである。そのために、左のテープ（１）の延長部がスライダー（３）の溝にはまり、蝶棒（１９）の下部がスライダー（３）の肩口（５）に位置するのである。
引き寄せられた左のテープ（１）の押上げキー（３０）は、キーホール（３１）に進入し、リフト（２１）のヘッド（３３）を押して、リフト（２１）を上昇させるのである。これはボックス（２２）の上部分と一体の箱（２０）と、その上のスライダー（３）を上昇させて、肩口（５）に位置した箱棒（１８）と蝶棒（１９）をすくい上げて箱（２０）に格納することでリフト（２１）の上昇は停止するのである。
この時、降下防止フック（２４）も押し上げられ、ガイド（２６）に誘導されてフック穴（２５）に納まりロックされるのである。そのために、上昇したボックス（２２）の上部分が、既定以外の力で押し下がることを防止するのである。
また、結合が解けて引き下げられたカバー（１７）の離脱防止フック（１４）がメスの留具（７）の離脱防止受（１３）で止められるため、カバー（１７）は引き下げを停止するとともにメスの留具（７）からの離脱を防止するのである。
この時、カバー（１７）を引き上げる時に、メスの留具（７）の上をスライドせずに、結合が解けたメスの留具（７）を押し上げることになる。そこで、補助スライダー（１０）を引き下げた時に、オスの留具（８）の指あて（９）が、ボックス（２２）の屋上（３４）にある指あて押え（３２）に挟まれるようにすることで、オスの留具（８）がボックス（２２）に固定されるため、メスの留具（７）も固定されるのである。そこで、カバー（１７）は固定されたメスの留具（７）を押し上げられず、その上をスライドして、結合受（１２）で結合して再度、補助スライダー（１０）を構成するのである。そして更なる力で引き上げると、オスの留具（８）は指あて押え（３２）から解放されて、補助スライダー（１０）はさらに引き上げられ、中で固定されたスライダー（３）も引上げられるために、ファスナーは閉じることになるのである。
両手が使える場合は、直接手で押上げキー（３０）をキーホール（３１）に挿入してファスナーを閉じることができるのである。
ファスナーを開く時は、襟元にある補助スライダー（１０）の左側を引き上げることで留め具が外れ、同時に引き上げフック（６）も外れるために補助スライダー（１０）に固定されたスライダー（３）が解放されるのである。解放されたスライダー（３）を引き下げるとファスナーの上部から開き、スライダー（３）の底部が、降下防止フック（２４）の押下げボール（２３）を押すため、降下防止フック（２４）が押し下げられてフック穴（２５）から外れ、ロックが解除されるのである。そこで、リフト（２１）も押し下げられ、ヘッド（３３）が押上げキー（３０）を外に押すために、左のテープ（１）の下部が外れファスナーは全て開くことになるのである。
【符号の説明】
【０００８】１テープ    ２エレメント    ３スライダー    ４柱    ５肩口    ６  引上げフック    ７メスの留具    ８オスの留具    ９指あて    １０補助スライダー    １１結合フック    １２結合受    １３離脱防止受    １４離脱防止フック    １５押上げバンク    １６窓    １７カバー    １８箱棒    １９蝶棒    ２０箱    ２１リフト    ２２ボックス    ２３押下げボール    ２４降下防止フック    ２５フック穴    ２６ガイド    ２７ジョイント    ２８ホルダー    ２９引寄せバー    ３０押上げキー    ３１キーホール    ３２指あて押え    ３３ヘッド    ３４屋上
【図１】
2020189069.tif 000003
【図２】
2020189069.tif 000004
【図３】
2020189069.tif 000005
【図４】
2020189069.tif 000006
【図５】
2020189069.tif 000007
【図６】
2020189069.tif 000008
【図７】
2020189069.tif 000009
【図８】
2020189069.tif 000010